(57)【要約】  モバイルデバイスに応用するためのＲＦ遮蔽装置は、モバイルデバイスの前面を覆うように構成されたＲＦ遮蔽スクリーン材料を含む。スクリーン材料は、スクリーン材料をモバイルデバイスに接地させるためにモバイルデバイスの本体部に接触する接地材料を含む。ＲＦ遮蔽装置は、タッチスクリーンインターフェースの適切な操作を可能とする。ＲＦ遮蔽装置は、モバイルデバイスの前面の実質的な部分を覆う大きさの自己接着性材料として構成されてもよい。代替的に、ＲＦ遮蔽装置は、ケースまたは保護外殻として構成されてもよい。
2014526800.tif 000002
【特許請求の範囲】
【請求項１】
モバイルデバイスによって放射されるＲＦ放射を実質的に減衰するように構成された材料から形成されるＲＦ材料と、
前記ＲＦ材料と電気的に結合され、前記モバイルデバイスの接地領域と接触するように構成された導電性材料と、を含む、モバイルデバイスのためのＲＦ遮蔽装置。
【請求項２】
前記モバイルデバイスの前面に接触するように意図された前記ＲＦ材料の表面上に配置された接着層をさらに含む、請求項１に記載の装置。
【請求項３】
前記ＲＦ材料が金属、金属合金及びプラスチックから選択された材料から形成される、請求項１に記載の装置。
【請求項４】
前記ＲＦ材料がニッケル−銅合金から形成される、請求項３に記載の装置。
【請求項５】
前記ＲＦ材料が、前記モバイルデバイスのディスプレイの視認を可能にするスクリーンから形成される、請求項３に記載の装置。
【請求項６】
前記モバイルデバイスの前面に対する所定の位置に前記ＲＦ材料を保持するように適合されたフレームをさらに含む、請求項１に記載の装置。
【請求項７】
前記フレームの少なくとも一部が、前記モバイルデバイスによって送受信されるＲＦ放射に対して実質的に透過性の材料から形成される、請求項６に記載の装置。
【請求項８】
前記フレームが、前記フレーム内に前記モバイルデバイスを保持するように構成されたタブを有して形成される、請求項７に記載の装置。
【請求項９】
前記フレームと結合するように構成された背面板をさらに含み、前記フレーム及び前記背面板が結合されたときに前記モバイルデバイスを囲む閉じた外殻を形成する、請求項７に記載の装置。
【請求項１０】
前記背面板が、前記モバイルデバイスによって放射されるＲＦ放射に対して実質的に非透過性の材料から形成される、請求項９に記載の装置。
【請求項１１】
前記フレームが、側面に、空洞内にモバイルデバイスをすべり込ませて収容する大きさの第２の開口を有するケースとして形成される、請求項６に記載の装置。
【請求項１２】
モバイルデバイスによって放射されるＲＦ放射を実質的に減衰するように構成された材料から形成されるＲＦ材料と、
前記モバイルデバイスの前面に対する所定の位置に前記ＲＦ材料を保持するように適合されたフレームと、を含み、
前記フレームが、
前記モバイルデバイスのディスプレイ領域に対応する第１の表面上に形成され、前記ＲＦ材料の一部によって覆われる開口部と、
第１の側面に対向する反対の面に形成され、前記モバイルデバイスを受容して保持する大きさである空洞と、
前記ＲＦ材料に電気的に結合され、前記モバイルデバイスの接地領域に接触するように構成された導電性材料と、を有する、モバイルデバイスのためのＲＦ遮蔽装置。
【請求項１３】
前記フレームの少なくとも一部が、前記モバイルデバイスによって送受信されるＲＦ放射に対して実質的に透過性の材料から形成される、請求項１２に記載の装置。
【請求項１４】
前記フレームが、前記フレーム内に前記モバイルデバイスを保持するように構成されたタブを有して形成される、請求項１２に記載の装置。
【請求項１５】
前記フレームと結合するように構成された背面板をさらに含み、前記フレーム及び前記背面板が結合されたときに前記モバイルデバイスを囲んで閉じた外殻を形成する、請求項１２に記載の装置。
【請求項１６】
前記背面板が、前記モバイルデバイスによって放射されるＲＦ放射に対して実質的に負透過性の材料から形成される、請求項１５に記載の装置。
【請求項１７】
前記フレームが、側面に、前記空洞にモバイルデバイスをすべり込ませて収容する大きさの第２の開口部を有するケースとして形成される、請求項１２に記載の装置。
【請求項１８】
前記ＲＦ材料が、金属、金属合金及びプラスチックから選択された材料から形成される、請求項１２に記載の装置。
【請求項１９】
前記ＲＦ材料が、ニッケル−銅合金から形成される、請求項１８に記載の装置。
【請求項２０】
前記ＲＦ材料が、前記モバイルデバイスのディスプレイの視認を可能にするスクリーンで形成される、請求項１９に記載の装置。
【請求項２１】
モバイルデバイスによって放射されるＲＦ放射を実質的に減衰するように構成された材料から形成されたＲＦ材料と、
内部の空洞内に前記モバイルデバイスを保持するように適合され、前記モバイルデバイスのディスプレイ領域に対応する第１の表面上に形成されて前記ＲＦ材料の一部によって覆われた開口を有するケースと、
前記ＲＦ材料に電気的に結合され、前記モバイルデバイスの接地領域に接触するように構成され、前記ケースの前記内部空洞内に配置された導電性材料と、を含む、モバイルデバイスのためのＲＦ遮蔽装置。
【請求項２２】
前記ＲＦ材料が、金属、金属合金及びプラスチックから選択された材料から形成される、請求項２１に記載の装置。
【請求項２３】
前記ＲＦ材料がニッケル−銅合金から形成される、請求項２２に記載の装置。
【請求項２４】
前記ＲＦ材料が、前記モバイルデバイスのディスプレイの視認を可能にするスクリーンから形成される、請求項２３に記載の装置。
【請求項２５】
前記ＲＦ材料が、前記モバイルデバイスの少なくとも前面を覆う前記ケースの前記内部空洞内に配置される、請求項２２に記載の装置。
【請求項２６】
前記ＲＦ材料が、前記モバイルデバイスの背面を覆うようにさらに配置される、請求項２２に記載の装置。
【請求項２７】
前記ケースが、実質的にＲＦ放射に対して透過性の材料から少なくとも部分的に形成され、前記ケースの少なくとも側部が、前記モバイルデバイスによって放射されるＲＦ放射が前記ケースから出ることを可能にする、請求項２１に記載の装置。
【請求項２８】
モバイルデバイスによって放射されたＲＦ放射を実質的に減衰するように構成された材料から形成され、前記モバイルデバイスのタッチスクリーン表面と外側との間の位置において、前記モバイルデバイスの内側に配置されるＲＦ材料と、
前記ＲＦ材料に電気的に結合され、前記モバイルデバイスの接地領域に接触するように構成された導電性材料と、を含む、モバイルデバイスのためのＲＦ遮蔽装置。
【発明の詳細な説明】
【技術分野】
【０００１】
本発明は、一般に携帯電話、無線またはｗｉｆｉデバイスアクセサリーに関連し、より具体的にはモバイルデバイスの高周波（ＲＦ）遮蔽に関連する。
【背景技術】
【０００２】
通常動作時、モバイルデバイスは待機時には間欠的に、通話活動時には連続的に高周波（ｒａｄｉｏ−ｆｒｅｑｕｅｎｃｙ：ＲＦ）放射を送信する。公衆衛生の専門家の間では、モバイルデバイスから発せられるＲＦ放射は脳腫瘍を含む様々な健康関連の問題を引き起こす可能性があるという関心がある。
【０００３】
モバイルデバイスからのＲＦ放射への公衆の関心に対応して、多くのデバイスおよびモバイルデバイスアクセサリーが、ＲＦ放射を遮蔽または低減するとして市販されている。しかしながら、これらの製品の多くは欠点を有する。例えば、いくつかの製品は使用しないときにはモバイルデバイスを収容するケースとして形成されている。しかしながら、通話を受ける場合または開始する場合に、モバイルデバイスを保護ケースから取り出す必要があることになる。そのため、使用者をＲＦ放射にさらすこととなる。他のデバイスは、多くの現在のモバイルデバイスに搭載されるタッチスクリーン入力の適切な機能を妨げる。
【０００４】
以下の特許文献１から３３には、モバイルデバイスからのＲＦ放射への暴露を低減するための様々な試みが議論されている。
【先行技術文献】
【特許文献】
【０００５】
【特許文献１】米国特許第５３６７３０９号明細書
【特許文献２】米国特許第５３３５３６６号明細書
【特許文献３】米国特許第５３３６８９６号明細書
【特許文献４】米国特許第５６５７３８６号明細書
【特許文献５】米国特許第５７２６３８３号明細書
【特許文献６】米国特許第６００１２８２号明細書
【特許文献７】米国特許第６０７５９７７号明細書
【特許文献８】米国特許第６０９５８２０号明細書
【特許文献９】米国特許第６１８４８３５号明細書
【特許文献１０】米国特許第６３４１２１７号明細書
【特許文献１１】米国特許第６３５６７７３号明細書
【特許文献１２】米国特許第６３５９２１３号明細書
【特許文献１３】米国特許第６３７７８２４号明細書
【特許文献１４】米国特許第６４０４４０３号明細書
【特許文献１５】米国特許第６５０５０３６号明細書
【特許文献１６】米国特許第６５１５２２３号明細書
【特許文献１７】米国特許第６６１５０２８号明細書
【特許文献１８】米国特許第６６２４４３２号明細書
【特許文献１９】米国特許第６６２８７８４号明細書
【特許文献２０】米国特許第６６０３９８１号明細書
【特許文献２１】米国特許第６７０８０４７号明細書
【特許文献２２】米国特許第６７３８６５０号明細書
【特許文献２３】米国特許第６８９７８２６号明細書
【特許文献２４】米国特許出願公開第２００１／００４１５４５号明細書
【特許文献２５】米国特許出願公開第２００２／００７２３３７号明細書
【特許文献２６】米国特許出願公開第２００２／００９７１８８号明細書
【特許文献２７】米国特許出願公開第２００２／０００９９７６号明細書
【特許文献２８】米国特許出願公開第２００３／０２２８８４３号明細書
【特許文献２９】米国特許出願公開第２００３／０１７６１６４号明細書
【特許文献３０】米国特許出願公開第２００４／０１９８２６４号明細書
【特許文献３１】米国特許出願公開第２００４／００２６１００号明細書
【特許文献３２】米国特許出願公開第２００８／００１４８７２号明細書
【特許文献３３】米国特許出願公開第２０１０／０２４０４２１号明細書
【発明の概要】
【発明が解決しようとする課題】
【０００６】
本発明の目的は、モバイルデバイスに搭載されたタッチスクリーンを適切に操作することを可能としながら、モバイルデバイスの使用者を、有害である可能性のあるＲＦ放射から保護するＲＦ遮蔽を提供することである。
【０００７】
本発明の他の目的は、携帯電話基地局へ接続するモバイルデバイスの能力を妨げることなく、モバイルデバイスの使用者を、有害である可能性のあるＲＦ放射から保護するＲＦ遮蔽を提供することである。
【課題を解決するための手段】
【０００８】
本発明の実施形態は、モバイルデバイスによって放射されるＲＦ放射を実質的に減衰するように構成された材料から形成されるＲＦ材料と、ＲＦ材料に電気的に結合された導電性材料と、からなり、導電性材料はモバイルデバイスの接地領域に接触するように構成される。
【０００９】
本発明の代替的な実施形態は、モバイルデバイスによって放射されるＲＦ放射を実質的に減衰するように構成された材料から形成されるＲＦ材料と、ＲＦ材料をモバイルデバイスの前面に対する所定の位置に保持するように適合されたフレームと、ＲＦ材料に電気的に結合された導電性材料と、からなり、導電性材料はモバイルデバイスの接地領域に接触するように構成される。フレームは、モバイルデバイスのディスプレイ領域に対応する第１の表面上に形成され、ＲＦ材料の一部によって覆われた開口と、第１の面とは反対側の面上に形成され、モバイルデバイスを受容して保持する大きさである空洞と、を含む。
【００１０】
本発明の他の代替的な実施形態は、モバイルデバイスによって放射されるＲＦ放射を実質的に減衰するように構成された材料から形成されるＲＦ材料と、内部の空洞にモバイルデバイスを保持するように適合されたケースと、ＲＦ材料に電気的に結合された導電性材料と、からなる。ケースはモバイルデバイスのディスプレイ領域に対応する第１の表面上に形成された開口を有する。開口はＲＦ材料の一部によって覆われる。導電性材料は、モバイルデバイスの接地領域と接触するように構成され、ケースの内部空洞の中に配置される。
【００１１】
本発明のこれらの、また他の特徴、態様及び利点は以下の説明、添付された特許請求の範囲及び添付された図面に基づいてより良く理解されるであろう。
【図面の簡単な説明】
【００１２】
【図１】本発明の１つの実施形態の分解図を示す。
【図２】本発明の代替的な実施形態を示す。
【図３】本発明の代替的な実施形態を示す。
【発明を実施するための形態】
【００１３】
図１を参照すると、本発明の実施形態が分解図で示されている。本発明のＲＦ遮蔽装置１００は、モバイルデバイス１０６の前面１０４を覆う大きさのＲＦ材料１０２からなる。
【００１４】
モバイルデバイス１０６のタッチスクリーンの機能性を維持することができるように、ＲＦ材料１０２は、ＲＦ材料１０２の周縁に配置された導電性接地材料１０８と共に構成される。接地材料１０８は、モバイルデバイス１０６の少なくとも一部と接触するように構成される。接地材料１０８は、金属箔のような、ＲＦ材料１０２をモバイルデバイス１０６へ電気的に接地させる材料からなる。
【００１５】
ＲＦ材料１０２は、ＲａｄｉｏＳｃｒｅｅｎ（登録商標）またはＶｅｉｌＳｈｉｅｌｄ（登録商標）のようなニッケル−銅スクリーンからなり、スクリーンの少なくとも前面、すなわちモバイルデバイスが実際に使用されるときに人の皮膚と接触することとなるスクリーンの表面に配置された保護透明プラスチックコーティングを有する。
【００１６】
他の実施形態では、スクリーンの前面及び背面のいずれも、保護プラスチック材料で覆われる。前面のプラスチックコーティングは、モバイルデバイスがアレルギー性の人の皮膚に長時間接触する場合に、人のニッケルアレルギー反応を防ぐように意図されている。背面、すなわちモバイルデバイス１０６の前面１０４に直接接触する表面上に配置されるプラスチックコーティングは、ニッケル−銅スクリーンによる摩耗からモバイルデバイスの表面を保護するように提供される。
【００１７】
本発明はＲＦ材料１０２としてニッケル−銅スクリーンについて説明されているが、モバイルデバイスによって利用される周波数範囲、例えばＧＨｚの範囲の周波数で同様のＲＦに対する不透過性を有する、銀、ステンレス鋼、その他の金属、金属合金及びプラスチックのような他の材料も利用することができる。さらに、ＲＦ遮蔽性インク及び塗料も同様に使用されてもよく、インクまたは塗料はそうでなければＲＦ放射に対して透過性であったであろう材料の表面に適用される。
【００１８】
使用されるスクリーンの大きさは、遮蔽されることを意図されるＲＦ放射の特定の範囲に部分的に依存する。適切なスクリーンの大きさを計算する方法は、ＲＦ技術分野では周知であり、そのため本明細書では議論しない。さらに、ＲＦ材料１０２のスクリーンの大きさはまた、除去せずともモバイルデバイス１０２上のディスプレイを視認することが可能となる可視周波数範囲に対して十分な光学的透過性を提供することが必要とされる。
【００１９】
代替的に、ＲＦ材料は、金属粒子がプラスチック材料の表面全体に、モバイルデバイスによって放射されるＲＦ放射の所望の減衰をもたらすように計算された密度でワイヤーとしてまたはランダムに分布されて堆積された柔軟なプラスチック材料から形成されてもよい。
【００２０】
図１に示される実施形態において、ＲＦ材料１０２はフレーム１１０によってモバイルデバイス１０６の前面１０４に対して保持される。フレームは、モバイルデバイス１０６の前面１０４に配置されたディスプレイ及び任意のボタンの大きさに対応する中央に形成された開口１１２を有する。フレーム１１０の側面１１４は、モバイルデバイス１０６がフレーム１１０内に取り付けられたときにモバイルデバイス１０６の背面を超える点まで延設するような大きさである。
【００２１】
フレーム１１０は、モバイルデバイス１０６の周囲の閉じた外殻を形成する背面板１１６と保持して結合するようにさらに構成される。従って、本実施形態のＲＦ遮蔽デバイス１００は、フレーム１１０と背面板１１６との間にモバイルデバイス１０６を収容する。さらに、背面板１１６は実質的にＲＦ非透過性の材料からなる。背面板１１６を構成するのに用いられる材料は、ＲＦ材料１０２に用いられるスクリーンを形成する材料と同一であってもよい。しかしながら、その他のＲＦ非透過性材料も同様に用いられてもよい。さらに、背面板１１６はいかなる光学的透過性を有することも必要とされない。
【００２２】
本発明において、実質的にＲＦ非透過性の材料は、所定の閾値を超えるＲＦ放射の一部を遮蔽する材料として定義され、所定の閾値は、本発明のＲＦ遮蔽装置の製造者によって決定される。結果として、実質的にＲＦ非透過性の材料は、ＲＦ放射の透過を、元の減衰されない放射透過に対して５０％超、より望ましくは７５％超減少させ、または減衰させるものである。
【００２３】
同様に、実質的にＲＦ透過性の材料は、本明細書では所定の閾値を超えるＲＦ放射の一部を材料を透過して放射させることを可能にする材料として定義され、所定の閾値は、本発明のＲＦ遮蔽装置の製造者によって決定される。結果として、実質的にＲＦ透過性の材料は、ＲＦ放射の透過を、元の減衰されない放射透過に対して５０％未満、より望ましくは２５％未満しか減少させず、または減衰させない材料である。
【００２４】
そのため、背面板１１６は、モバイルデバイス１０６の背面を通してモバイルデバイス１０６によって放射されるＲＦ放射をさらに遮蔽する。背面板１１６は、フレーム１１０の背面に配置された一連のタブ（図示されない）によって、フレーム１１０と結合されてもよい。背面板１１６は、タブに取り付けられるように構成されることとなる。代替的に、フレーム１１０は、背面に沿った、背面板１１６がスライドできる一組のレールを有して形成されてもよい。この場合、背面板１１６はレールによって提供される摩擦力によってその位置に保持される。これらの、そしてその他の適切なフレーム１１０と背面板１１６とを結合するための構造及び手段は、本技術分野において周知である。
【００２５】
モバイルデバイスが携帯電話基地局と通信可能となるように、フレーム１１０の側面の少なくとも一部は実質的にＲＦを透過させる材料から製造される。さらに、ＲＦスクリーン材料は、モバイルデバイス１０６の前面１０４の周縁部を超えて延設しない。このようにして、モバイルデバイスはＲＦ遮蔽デバイス１００の側面の少なくとも一部を通して放射されるＲＦ信号によって基地局と通信することが可能となる。
【００２６】
代替的に、モバイルデバイス１０６は側面１１４の底辺に配置されたタブまたはストラップによってフレーム１１０内に保持される。この場合、ＲＦ遮蔽装置１００は、背面板１１６を含まなくてもよい。この代替例において、モバイルデバイスは、モバイルデバイスの送受信表面を最大化しつつ使用者の脳内へのＲＦ放射の放出が防止される。
【００２７】
本発明の他の実施形態において、図１に示されるようなＲＦ遮蔽装置１００は、背面板１１６が取り付けられるフレーム１１０の背面側表面に蝶番を提供するように改良される。このように、ＲＦ遮蔽装置１００は、モバイルデバイス１０６の周囲を収容する外殻を形成する、フレーム１１０及び背面板１１６を有する折り畳み型として構成される。モバイルデバイス１０６を折り畳み型ＲＦ遮蔽デバイス１００に挿入するために、背面板１１６は背面板１１６をフレーム１１０から分離する蝶番接続軸の周りに回転することができる。
【００２８】
ＲＦ材料１０２は、前面１０４と接触するＲＦ材料１０２の表面が、その上に配置される接着剤２０４を有する、背面スクリーン保護部の接着剤として構成することができる。そのような構成において、ＲＦ遮蔽装置１００の残りの構成要素は必要でない。この場合におけるＲＦスクリーン１０２の接地は、図２に示されるようにＲＦ材料１０２の周縁の少なくとも一部に沿って配置された接地材料２０２によって達成することが可能である。接地材料２０２は、モバイルデバイス１０６の側面に接着されるように構成される。そのため、ＲＦ材料１０２とモバイルデバイス１０６の本体との間の接地への接触を提供する。
【００２９】
他の実施形態において、図３に示されるように、本発明はケースまたはポーチ３００として構成される。本実施形態において、ケース３００はＲＦ材料３０２の層を有してなり、ケース３００の内側の部分に並ぶ。ケース本体３０４はプラスチック、布またはその他の類似の材料、例えば皮革、ナイロン、ネオプレン及びゴムからなる。本体３０４はモバイルデバイス１０６のシルエットに沿った形状に形成される。
【００３０】
本体３０４は、前面３０６に、ＲＦ材料３０２の一部が露出する開口部３０８を有して形成される。さらに、前面３０６に対して垂直に配置される第２の側面３１０において、本体３０４は、モバイルデバイス１０６を本体３０４によって形成された内部空洞内への挿入を滑り込ませて収容する大きさの第２の開口部３１０を有する。ケース３００内のモバイルデバイス１０６を除去可能に保持するように構成された蓋３１６が、同様に本体３０４に提供されてもよい。
【００３１】
さらに、ケース３００は、使用者がケース３００をベルトやポケットなどに留めることが可能なクリップ（図示されない）を有してもよい。
【００３２】
本発明の代替的な実施形態において、ＲＦ遮蔽装置は、モバイルデバイスの内部に配置される。そのような実施形態において、ＲＦ材料は上述のようにモバイルデバイスのタッチスクリーンの前面に配置可能である。代替的に、ＲＦ材料はモバイルデバイスのタッチスクリーンの背後に配置されてもよく、それによってタッチスクリーンはモバイルデバイスの使用者が直接触れることができる。接地材料は、ＲＦ材料をモバイルデバイス内部に位置するモバイルデバイスの接地部に結合させる。ＲＦ材料がタッチスクリーンの前面に配置される場合、ＲＦ材料はタッチスクリーンを見ることが可能な材料からなるものでなければならない。一方、ＲＦ材料がタッチスクリーンの背面に配置される場合には、材料は光学的に透明である必要がない。
【００３３】
本発明の説明された実施形態は限定というよりもむしろ例示を意図されており、本発明のあらゆる実施形態を表すことを意図されるものではない。文字通り、また法律で認められた等価物の両方として、以下の特許請求の範囲に記載されるように、本発明の思想または範囲を逸脱することなく、様々な改良及び変形を行うことが可能である。
【符号の説明】
【００３４】
１００  ＲＦ遮蔽装置
１０２  ＲＦ材料
１０４  モバイルデバイスの前面
１０６  モバイルデバイス
１０８  接地材料
１１０  フレーム
１１２  開口
１１４  フレームの側面
１１６  背面板
２０２  接地材料
２０４  接着剤
３００  ケース
３０２  ＲＦ材料
３０４  本体
３０６  前面
３０８  開口部
３１０  第２の開口部
３１６  蓋
【図１】
2014526800.tif 000003
【図２】
2014526800.tif 000004
【図３】
2014526800.tif 000005
【国際調査報告】
2014526800.tif 000006
2014526800.tif 000007